(57)【特許請求の範囲】
【請求項１】
天板、底板、両側板および背板から成る外箱と、前記外箱の内側に配設される内箱と、前記外箱と前記内箱の間の天部、底部、両側部、背部に配設される断熱部材と、隣接する断熱部材同士の接合部の隙間を塞ぐシール部材とを備え、前記シール部材は、前記接合部において隣接する断熱部材に挟持されて前記接合部の隙間を塞ぐ軟質部と、前記軟質部を補強するための補強部とから成ると共に前記軟質部と前記補強部は一体に形成されたことを特徴とする自動販売機の筐体。
【請求項２】
前記断熱部材の接合部側端面に切欠部を形成し、前記接合部に前記軟質部の形状と相補形状の溝部を形成したことを特徴とする請求項１記載の自動販売機の筐体。
【発明の詳細な説明】
【０００１】
【発明の属する技術分野】
本発明は、商品を冷却または加温した状態で、顧客の要望に応じて販売する自動販売機の筐体に関する。
【０００２】
【従来の技術】
従来、この種の自動販売機は、天面、底面、両側面および背面から成る断熱筐体の正面に、断熱ドアとメインドアを組み込んで、外郭が構成され、内部に商品を収容する商品収納装置、冷却装置、加温装置等を内蔵するようになっている。このような自動販売機の従来の筐体は、内部商品の外部環境（自動販売機が設置されている気候や雰囲気）からの保護や、商品の保温・保冷庫としての機能を有している。このため、筐体は、天板と底板と左右の両側板と背板から成る外箱と、外箱より小さく略相似形に形成された内箱と、前記外箱と内箱の間に配設された断熱部材で構成され、内箱および外箱は、それぞれ鋼板を溶接により接合して組み立てられ、十分な強度を保持している。さらに、外箱は風雨や砂塵および盗難などから内部の装置や商品を保護するために必要な気密性が保持されている。また、筐体の断熱構造は、外箱と内箱の間隙に発泡ポリウレタンや発泡スチロールなどから成る厚板状の断熱片を配設することにより断熱性を保持している。
【０００３】
図７は従来例を示す自動販売機の側面要部断面図、図８は従来例を示す自動販売機の平面要部断面図である。図に示すように筐体１は、天板１６ａと底板１６ｂと左右の両側板１６ｃと背板１６ｄから成る外箱１６と、外箱１６より小さく略相似形に形成された内箱１７と、外箱１６と内箱１７の間隙に発泡ウレタンや発泡スチロールなどから成る板厚状の断熱片１８〜２２を配設することで構成されている。そして、筐体１の正面に、断熱ドア２とメインドア３を組み込んで、外郭が構成され、内部に商品を収納するラック４や冷却装置５が内蔵されている。
【０００４】
【発明が解決しようとする課題】
ところで、従来の筐体構造においては、外箱、内箱および断熱部材が容易に分離可能で、近年の製品開発の重要な要件の一つである「環境への影響を配慮した製品」即ち、リサイクル性の観点からは良好と判断される。しかしながら、その構造において、組立・分解を容易に行う必要性から各部に隙間が設けられている。そして、商品冷却時に、この隙間から冷気が漏れて庫内の保温性能を低下させ、また、空気中の水分が内箱表面の隙間に結露して付着し、これを断熱材が吸湿して断熱性能が時間の経過と共に低下してしまう問題があった。そこで、このような問題を解決するため、従来は断熱片の接合部などの間隙にパテなどを詰めて間隙を塞いでいたが、作業に手間が掛ると共に、パテが接着剤の役目をして筐体の分解が容易でなくなる問題があった。
【０００５】
そこで、本発明は、このような問題点に鑑みてなされたものであり、組立・分解作業を能率良く行い得ると共に、比較的良好な断熱性能を保持することを可能にした自動販売機の筐体を提供することを目的とする。
【０００６】
【課題を解決するための手段】
上記課題を解決するため、請求項１にかかる発明は、天板、底板、両側板および背板から成る外箱と、前記外箱の内側に配設される内箱と、前記外箱と前記内箱の間の天部、底部、両側部、背部に配設される断熱部材と、隣接する断熱部材同士の接合部の隙間を塞ぐシール部材とを備え、前記シール部材は、前記接合部において隣接する断熱部材に挟持されて前記接合部の隙間を塞ぐ軟質部と、前記軟質部を補強するための補強部とから成ると共に前記軟質部と前記補強部は一体に形成されたことによって、前記補強部が前記シール部材の形状を略一定に維持して取り扱いを簡単にすると共に、前記軟質部が前記接合部の隙間に合せて変形して確実に隙間を塞ぐことができる自動販売機の筐体を提供する。
【０００７】
請求項２にかかる発明は、請求項１記載の発明において、前記断熱部材の接合部側端面に切欠部を形成し、前記接合部に前記軟質部の形状と相補形状の溝部を形成したことによって、前記断熱部材の前記接合部の気密性を向上させることが可能である。
【０００８】
【発明の実施の形態】
以下、図面を参照して、本発明の実施例に係る自動販売機について説明する。なお、従来と同一構成に関しては同一符号を用いる。
【０００９】
図１は、本発明の実施例を示す自動販売機の正面図、図２は本発明の実施例を示す自動販売機の側面図、図３は本発明の実施例を示す自動販売機の側面要部断面図、図４は本発明の実施例を示す自動販売機の平面要部断面図、図５は図３の部分拡大図、図６は本発明の実施例を示す筐体構造の分解斜視図を示す。
【００１０】
図１乃至４に示すように、本発明の実施例を示す自動販売機は、天面、底面、側面、背面から成る筐体１の正面に、断熱ドア２とメインドア３とを、回動自在に組み込んで、外郭が構成されている。筐体１の内部には、販売機構４ａを組み込んだ商品収納ラック４や内部冷却装置５が収納され、メインドア３の外側には、ディスプレイ６と商品選択ボタン７と硬貨投入口８と金額表示器９と返却レバー１０と硬貨返却口１１と商品販売口１２とが配設されている。
【００１１】
中身商品は、その補充時に、断熱ドア２とメインドア３とを開蓋して商品収納ラック４内に収納される。商品収納ラック４に投入された商品は、冷却装置の室外機１３に接続された内部冷却装置５によって所定の冷却温度に冷却される。
【００１２】
購入者が硬貨投入口８にコインを投入すると、図示しない硬貨識別装置が作動してコインの識別を行い、投入コインが正貨と識別されると、商品選択ボタン７の販売可ランプを点灯させる。そして、商品選択ボタン７が押釦されると、図示しない制御ユニットが商品収納ラック４の販売機構４ａを駆動すると共にデリバリドア１４を開動して、商品収納ラック４内から所望の商品が搬出され、デリバリシュート１５を介して商品販売口１２に商品が搬出される。
【００１３】
次に、図６を参照して、筐体１について説明する。筐体１は、上部の天板１６ａと、下部の底板１６ｂと、左右の両側板１６ｃと、後部の背板１６ｄと、冷却装置の室外機１３を載置するベース部１６ｅとから成る外箱１６と、外箱１６の内側にされる内箱１７と、外箱１６と内箱１７の間隙に配設されて断熱部を構成し、例えば発泡ウレタンから成る天面断熱板１８と、底面断熱板１９と、側面断熱板２０、２１と、背面断熱板２２と、前記各断熱板の接合部３１〜３８（図３及び図４参照、３５〜３８は図示せず）の隙間を塞ぐように配設されるシール部材２３、２４、２５によって構成されている。また、前記シール部材２３、２４、２５は、それぞれ軟質塩ビから成る凸状の軟質部２３ａ、２４ａ，２５ａと前記軟質部を補強する硬質塩ビから成る帯状の補強部２３ｂ、２４ｂ、２５ｂから構成され、この軟質部２３ａ、２４ａ，２５ａと補強部２３ｂ、２４ｂ、２５ｂとは押し出しによる一体成型で形成されている。さらに、前記各断熱板１８〜２２は他の断熱板と接合する接合端部に前記シール部材の凸状軟質部を相補する形状に切欠部１８ａ、１８ｂ、１９ａ、１９ｂ、２０ａ、２０ｂ、２１ａ、２１ｂ、２２ａ、２２ｂを備えている。
【００１４】
ここで、このような構成において、筐体１の組立手順を説明する。まず天面断熱板１８と底面断熱板１９を外箱１６の内側に挿入し、それぞれ天板１６ａと底板１６ｂと対向して配置する。天面断熱板１８または底面断熱板１９と背面断熱板２２の接合部３１、３２に沿ってシール部材２３の凸状軟質部２３ａを配設し、帯状の補強部２３ｂを天面断熱板１８または底面断熱板１９と背板１６ｄで挟み込んで固定する。次いで背面断熱板２２を背板１６ｄと対向して配設する。次に天面断熱板１８または底面断熱板１９と側面断熱板２０、２１の接合部３５〜３８（４個所、図示せず）に沿ってシール部材２５の凸状軟質部２５ａを配設し、帯状の補強部２５ｂを、天面断熱板１８または底面断熱板１９と側板１６ｃで挟み込んで固定する。同時に、側面断熱板２０、２１と背面断熱板２２の接合部３３、３４に沿ってシール部材２４の凸状軟質部２４ａを配設し、帯状補強部２４ｂを背面断熱板２２と側板１６ｃで挟み込んで固定する。そして、側面断熱板２０、２１を両側板１６ｃと対向して配置する。最後に各断熱板１８〜２２によって囲まれた外箱１６内側の空間部に内箱１７を挿入する。
【００１５】
前述のような構造によって、シール部材２３、２４、２５は、その補強部を外箱１６と各断熱板１８〜２２の間に挟み込んで容易に固定して配置され、その軟質部によって各断熱板１８〜２２の接合部の隙間を密閉することができる。
【００１６】
以上のように、本発明の実施例が示す自動販売機の筐体１は、各々の部材が接着されずに固定・配設され、容易に着脱可能に構成される。また、各断熱板１８〜２２の接合部に配設されるシール部材２３、２４、２５は、軟質部と軟質部を補強する帯状の補強部が一体に成形されることにより形状が保持されて取り扱いが簡単となり、凸状の軟質部によって筐体１の断熱部の気密性が向上して断熱構造部での結露を防止し、各断熱板１８〜２２の吸湿量を減少させ良好な断熱性能を維持することが可能である。
【００１７】
尚、本実施例においては、シール部材２３、２４、２５の凸状軟質部の断面形状を半円形状としたが、これに限らず四角形状、三角形状等であってももちろん良く、本発明の趣旨の範囲で変形可能である。
【００１８】
【発明の効果】
以上説明したように請求項１記載の発明によれば、断熱部材同士の接合部を塞ぐシール部材は、前記接合部において隣接する断熱部材に挟持されて前記接合部の隙間を塞ぐ軟質部と、前記軟質部を補強するための補強部とから成ると共に前記軟質部と前記補強部は一体に形成されたことにより、前記補強部が前記シール部材の形状を略一定に保持して取り扱いを簡単にすると共に、前記軟質部が前記接合部の隙間に合せて変形して確実に隙間を塞ぐことによって、従来のパテ等のシール部材等に比べて組立・分解作業が簡単となり、リサイクルが容易で比較的良好な断熱性能を保持する自動販売機の筐体を提供することが可能である。
【００１９】
請求項２記載の発明によれば、、請求項１記載の発明において、前記断熱部材の接合部側端面に切欠部を形成し、前記接合部に前記軟質部の形状と相補形状の溝部を形成したことにより、前記断熱部材の前記接合部の気密性を向上させて、前記筐体の断熱性能を向上させることが可能である。
【図面の簡単な説明】
【図１】本発明の実施例を示す自動販売機の正面図である。
【図２】本発明の実施例を示す自動販売機の側面図である。
【図３】本発明の実施例を示す自動販売機の側面要部断面図である。
【図４】本発明の実施例を示す自動販売機の平面要部断面図である。
【図５】本発明の実施例を示す図３の部分拡大図である。
【図６】本発明の実施例を示す筐体構造の分解斜視図である。
【図７】従来例を示す自動販売機の側面要部断面図ある。
【図８】従来例を示す自動販売機の平面要部断面図である。
【符号の説明】
１  筐体
１６  外箱
１７  内箱
１８  天面断熱板
１８ａ、１８ｂ  溝部
１９  底面断熱板
１９ａ、１９ｂ  溝部
２０  側面断熱板（左）
２０ａ、２０ｂ  溝部
２１  側面断熱板（右）
２１ａ、２１ｂ  溝部
２２  背面断熱板
２２ａ、２２ｂ  溝部
２３  シール部材
２３ａ  軟質部
２３ｂ  補強部
２４  シール部材
２４ａ  軟質部
２４ｂ  補強部
２５  シール部材
２５ａ  軟質部
２５ｂ  補強部
３１〜３４  接合部
【図１】
0003835129.tif 000002
【図２】
0003835129.tif 000003
【図３】
0003835129.tif 000004
【図４】
0003835129.tif 000005
【図５】
0003835129.tif 000006
【図６】
0003835129.tif 000007
【図７】
0003835129.tif 000008
【図８】
0003835129.tif 000009